(57)【要約】      （修正有）【課題】清潔効果が良く、粘着された各層が互いに離脱し難いマウスパッドを提供する。【解決手段】第１表層１０と、該第１表層に平行する第２表層２０と、撓み性を有し、前記第１表層と前記第２表層との間に位置し、前記第１表層と前記第２表層とを支え離れることにより、前記第１表層と前記第２表層との間に収容空間１５が形成される多数の支持繊維３０とを含み、前記第１表層の上でボイド１１が多数形成され、前記ボイドは、肉眼で見える程度の大きさであり、前記収容空間と連通する。【選択図】図３
0003163762.tif 000002
【実用新案登録請求の範囲】
【請求項１】
第１表層と、
前記第１表層に平行する第２表層と、
撓み性を有し、前記第１表層と前記第２表層との間に位置し、前記第１表層と前記第２表層とを支え離れることにより、前記第１表層と前記第２表層との間に収容空間が形成される多数の支持繊維と、を含み、
前記第１表層の上でボイドが多数形成され、前記ボイドは、肉眼で見える程度の大きさであり、前記収容空間と連通することを特徴とするマウスパッド。
【請求項２】
前記ボイドの穴径は、０．０５〜０．２５ｍｍの範囲内にあることを特徴とする、請求項１に記載のマウスパッド。
【請求項３】
前記第１表層は編み層であることを特徴とする、請求項１に記載のマウスパッド。
【請求項４】
前記第１表層と前記第２表層と支持繊維とは編み成形を採用することを特徴とする、請求項１に記載のマウスパッド。
【請求項５】
前記第１表層と前記第２表層と支持繊維との材料はポリエステル繊維を採用することを特徴とする、請求項１に記載のマウスパッド。
【請求項６】
更に、前記第１表層から遠ざかった面に設けられる滑止層を含むことを特徴とする、請求項１に記載のマウスパッド。
【請求項７】
前記支持繊維の延び方向は、前記第１表層および前記第２表層とほぼ垂直することを特徴とする、請求項１に記載のマウスパッド。
【請求項８】
前記支持繊維の密度は１００〜１０００本/ｃｍ２であることを特徴とする、請求項１に記載のマウスパッド。
【請求項９】
前記ボイドは、前記第１表層を垂直に貫通し、前記収容空間と連通することを特徴とする、請求項１に記載のマウスパッド。
【考案の詳細な説明】
【技術分野】
【０００１】
本考案はマウスパッドに関するものである。
【背景技術】
【０００２】
図１に示した従来のマウスパッドは、二層構成であり、すなわち、上層２と、底層４と、を含む。上層２は、ボールマウスに摩擦力を提供し、又は光学式マウスに光学特性を提供するためのものである。底層４は構造の強度を強化するためのものである。
【０００３】
しかし、従来のマウスパッドを長期間使用されると、マウスの底面にゴミが付けられ、特に、ボールマウスの場合には、ボールマウスのボール及びボールセンサにゴミが付け易い。そうすると、ボールセンサの鋭敏度が降下し、マウスの使用が困難になる。
【０００４】
一方、従来の二層構成または多層構成を有するマウスパッドは、各層の結合が粘着方法を採用することが多く、各層を粘着しているときに粘着剤が溢れ出すことがあり、そして長期間使用されると、各層が互いに離脱することもある。
【考案の概要】
【考案が解決しようとする課題】
【０００５】
そこで、本考案の主な目的は、清潔効果が良く、粘着された各層が互いに離脱し難いマウスパッドを提供することにある。
【課題を解決するための手段】
【０００６】
本考案のマウスパッドによると、第１表層と、前記第１表層に平行する第２表層と、撓み性を有し、前記第１表層と前記第２表層との間に位置し、前記第１表層と前記第２表層とを支え離れることにより、前記第１表層と前記第２表層との間に収容空間が形成される多数の支持繊維と、を含み、前記第１表層の上でボイドが多数形成され、前記ボイドは、肉眼で見える程度の大きさであり、前記収容空間と連通することを特徴とする。
【０００７】
本考案のマウスパッドによると、これらの前記ボイドの穴径は、０．０５〜０．２５ｍｍの範囲内にあることを特徴とする。
【０００８】
本考案のマウスパッドによると、前記第１表層は編み層であることを特徴とする。
【０００９】
本考案のマウスパッドによると、前記第１表層と前記第２表層と支持繊維とは編み成形を採用することを特徴とする。
【００１０】
本考案のマウスパッドによると、前記第１表層と前記第２表層と支持繊維との材料はポリエステル繊維を採用することを特徴とする。
【００１１】
本考案のマウスパッドによると、更に、前記第２表層の前記第１表層から遠ざかった面に設けられる滑止層を含むことを特徴とする。
【００１２】
本考案のマウスパッドによると、これらの前記支持繊維の延び方向は、前記第１表層および前記第２表層とほぼ垂直することを特徴とする。
【００１３】
本考案のマウスパッドによると、これらの前記支持繊維の密度は１００〜１０００本/ｃｍ２程度であることを特徴とする。
【００１４】
本考案のマウスパッドによると、これらの前記ボイドは、実際に前記第１表層を垂直に貫通し、前記収容空間と連通することを特徴とする。
【考案の効果】
【００１５】
本考案のマウスパッドによれば、清潔効果が良く、粘着された各層が互いに離脱し難い効果を有する。
【図面の簡単な説明】
【００１６】
【図１】従来のマウスパッドの模式図である。
【図２】本考案のマウスパッドの模式図である。
【図３】本考案のマウスパッドの断面図である。
【考案を実施するための形態】
【００１７】
以下、本考案の実施の形態を図面に基づいて説明する。
まず、図２及び図３を参照する。本考案のマウスパッドは、第１表層１０と、第２表層２０と、多数の支持繊維３０と、滑止層４０と、を含む。
【００１８】
これらの前記支持繊維３０は、撓み性を有し、第１表層１０と第２表層２０との間に位置し、第１表層１０と第２表層２０とを支え離れることにより、第１表層１０と第２表層２０との間に収容空間１５が形成される。
【００１９】
第１表層１０の上でボイド１１が多数形成され、ボイド１１は、肉眼で見える程度の大きさであり、収容空間１５と連通する。これらのボイド１１は、その穴径が０．０５〜０．２５ｍｍの範囲内にあり、実際に第１表層１０を垂直に貫通し、収容空間１５と連通することが好ましい。
【００２０】
上記の構成によれば、多数のボイド１１の穴径が多くのゴミの粒径よりも大きいため、マウスパッドの上でマウスを移動するときに、マウスの下面に付着されるゴミ及び/又はマウスパッドに付着されるゴミは、これらのボイド１１に押し入れられて収容空間１５に落下する。そうすると、マウスパッドに積上げるゴミがマウスの下面に付着することにより、ボールセンサの鋭敏度が低下してマウスの使用が困難になることが発生しなくなる。
【００２１】
ゴミの収容空間への進入を容易にするために、これらの支持繊維３０の延び方向は、第１表層１０および第２表層２０とほぼ垂直する。且つこれらの支持繊維３０の密度は１００〜１０００本/ｃｍ２程度であり、支持繊維３０の密度がその数値よりも小さい場合には、マウスパッドを支持する効果が降下し、第１表層１０と第２表層２０とを有効に分離することができない。なお、支持繊維３０の密度がその数値よりも大きい場合には、ゴミが収容空間に進入し難くなる。もちろん、支持繊維は、波状に編んでもいいし、互いに交差するように編んでもいいし、三角状に編んでもよい。
【００２２】
本考案では、第１表層１０と第２表層２０と支持繊維３０との材料はポリエステル繊維を採用することが好ましい。そして本考案のマウスパッドの主な部分は編み方法によって成形される。例えば第１表層１０と第２表層２０とは経糸と緯糸とを適当に編んで構成され、支持繊維３０は、第１表層１０と第２表層２０との間に位置するように、経糸及び/又は緯糸を編んで構成され、これにより、支持効果を達成でき、そして第１表層１０と第２表層２０とを分離することができる。
【００２３】
本考案のマウスパッドの主な部分が編み方法によって成形されることの長所は、粘着剤を使用せずに第１表層１０と第２表層２０と支持繊維３０とを結合することができ、これにより、各層を粘着しているときに粘着剤の溢れ出しを回避でき、そして長期間に使用されても、各層が互いに離脱しないことにある。
【００２４】
また、滑止層４０は第２表層２０の第１表層１０から遠ざかった面に設けられる。具体的には、滑止層４０は、スプレー、印刷、又は従来の塗布などの方法で第２表層２０と結合する。摩擦力を増加するために、滑止層４０は皺を有することが好ましい。滑止層４０はマウスパッドとマウスパッドを放置する表面との摩擦力を増加するためのものである。滑止層４０により、マウスパッドの上でマウスを移動しても、マウスパッドがマウスと共に移動しない。滑止層４０は、適正な粘着性を有してもよく、例えばポリウレタン又はシリコーンなどの材料で作製されてもよく、これにより、滑り止め効果が更に増加する。
【００２５】
本考案のマウスパッドには、撓み性を有する支持繊維が多数設けられるため、ある程度の緩衝機能を有する。本考案のマウスパッドは、ユーザがマウスパッドとして使用しないときに、緩衝パッドとして利用可能である。例えばユーザがノートブック型パーソナルコンピュータを携帯するときには、ノートブック型パーソナルコンピュータを収納する袋に本考案のマウスパッドを適当に入れると、当該マウスパッドは緩衝パッドとして利用可能である。そうすると、ノートブック型パーソナルコンピュータの受ける衝撃を低減することができる。
【００２６】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２７】
本考案は、マウスパッドに適用することができる。
【符号の説明】
【００２８】
２：上層、４：底層、１０：第１表層、１１：ボイド、１５：収容空間、２０：第２表層、３０：支持繊維、４０：滑止層。
【図１】
0003163762.tif 000003
【図２】
0003163762.tif 000004
【図３】
0003163762.tif 000005